(57)【要約】【課題】ミストの高い回収効率を実現しつつ、用紙接触のリスクを低減する。【解決手段】搬送経路上を搬送される用紙Ｐに対しインクジェットユニット３１からインクを吐出する際に発生するミストを回収するミスト回収装置が適用されたインクジェット印刷装置１であって、搬送経路に沿った搬送ベルト１３３上面に用紙Ｐを吸着させて搬送する搬送手段と、インクジェットユニット３１の下流であり、かつ搬送ベルト１３３の上方に設けられ、帯電した帯電ローラ３２と、帯電ローラ３２を、搬送ベルト１３３に対して昇降させる昇降機構３５と、を備える。【選択図】図２
2020093466.tif 000002
【特許請求の範囲】
【請求項１】
搬送経路上を搬送される印刷媒体に対しインクジェットヘッドからインクを吐出する際に発生するミストを回収するミスト回収装置であって、
前記搬送経路に沿って前記印刷媒体を搬送する搬送手段と、
前記インクジェットヘッドの下流であり、かつ前記搬送手段の上方に設けられ、帯電した帯電部材と、
前記帯電部材を、前記搬送手段に対して昇降させる昇降機構と、
を備えたことを特徴とするミスト回収装置。
【請求項２】
前記ミストの発生状況に基づいて前記昇降機構を制御する制御手段を、
さらに備えたことを特徴とする請求項１記載のミスト回収装置。
【請求項３】
前記搬送手段は、前記搬送経路に沿った搬送ベルト上面に前記印刷媒体を吸着させて搬送し、
ジョブごとの最大印字率と、前記インクの特性とに基づいて、前記帯電部材と前記搬送ベルト上面とのギャップを決定する決定手段と、をさらに備え、
前記制御手段は、前記決定手段により決定されたギャップとなるように前記昇降機構を制御する
ことを特徴とする請求項２記載のミスト回収装置。
【請求項４】
前記制御手段は、前記帯電部材のクリーニング時に、前記搬送ベルト上面で搬送される用紙に前記帯電部材を押圧するように前記昇降機構を制御する
ことを特徴とする請求項３記載のミスト回収装置。
【請求項５】
前記印刷媒体の搬送により発生する気流が前記帯電部材の上方を通過するのを遮蔽するように、前記帯電部材の上方に設けられた遮蔽部材を、
さらに備えたことを特徴とする請求項１〜４のいずれか１項記載のミスト回収装置。
【発明の詳細な説明】
【技術分野】
【０００１】
本発明は、ミストの高い回収効率を実現しつつ、用紙接触のリスクを低減するミスト回収装置に関する。
【背景技術】
【０００２】
インクジェット方式の画像形成装置は、インクジェットヘッドによりインクの液滴を吐出して印刷媒体に印刷を行うものであり、一般的に良く知られている。このようなインクジェット印刷装置には、インクジェットヘッドの下方に印刷媒体を搬送する搬送ベルトを備え、搬送ベルト内に設置された吸引ファンにより印刷媒体を搬送ベルト上に吸引しながら所定の搬送速度で搬送し、インクジェットヘッドから吐出されたインクにより印刷するフルラインタイプのものがある。
【０００３】
印刷媒体を搬送ベルト上に吸引しながら所定の搬送速度で搬送する際、印刷媒体の搬送方向に沿って気流が発生する。このとき、インク吐出によって発生した画像形成に使用しない微小液滴（ミスト）がこの気流によって流されてしまう。流されたミストが、例えば搬送経路内などの吐出位置とずれた場所に着弾することにより、機内のインク汚れが蓄積し、蓄積したインクが用紙に転写して印刷用紙の画質の劣化の原因となることがあった。
【０００４】
特許文献１には、キャリッジ１００の移動方向の逆側にミスト回収部材１１５が配設された液滴を吐出する装置に関する技術が開示されている。
【先行技術文献】
【特許文献】
【０００５】
【特許文献１】特開２０１７−１０９４９０号公報
【発明の概要】
【発明が解決しようとする課題】
【０００６】
しかしながら、特許文献１に記載の技術では、キャリッジ１００の移動方向の逆側にミスト回収部材１１５が配設されているので、ミスト回収部材１１５と用紙との位置が常に一定となる。搬送される用紙により発生する気流に同伴したミストを回収するためには、ミスト回収部材が用紙に近いほど回収効率は高くなる。その一方、用紙に近いほどミスト回収部材が用紙に接触する確率が高くなるので、ミストがあまり発生していないときには、ミスト回収部材を用紙から離しておくことが望ましい。
【０００７】
本発明は、上記課題に鑑みてなされたものであり、ミストの高い回収効率を実現しつつ、用紙接触のリスクを低減するミスト回収装置を提供することにある。
【課題を解決するための手段】
【０００８】
上記目的を達成するため、本発明に係るミスト回収装置の特徴は、
搬送経路上を搬送される印刷媒体に対しインクジェットヘッドからインクを吐出する際に発生するミストを回収するミスト回収装置であって、
前記搬送経路に沿って前記印刷媒体を搬送する搬送手段と、
前記インクジェットヘッドの下流であり、かつ前記搬送手段の上方に設けられ、帯電した帯電部材と、
前記帯電部材を、前記搬送手段に対して昇降させる昇降機構と、
を備えたことにある。
【発明の効果】
【０００９】
本発明に係るミスト回収装置の特徴によれば、ミストの高い回収効率を実現しつつ、用紙接触のリスクを低減することができる。
【図面の簡単な説明】
【００１０】
【図１】本発明の一実施例であるインクジェット印刷装置の構成を示す構成図である。
【図２】本発明の一実施例であるインクジェット印刷装置が備える印刷部の拡大側面図である。
【図３】本発明の一実施例であるインクジェット印刷装置の機能構成を示した図である。
【図４】本発明の一実施例であるインクジェット印刷装置が備えたＲＯＭに記憶されたギャップ調整テーブルの一例を示した図である。
【図５】本発明の一実施例であるインクジェット印刷装置の作用を説明した説明図である。
【図６】本発明の一実施例であるインクジェット印刷装置の処理内容を示したフローチャートである。
【発明を実施するための形態】
【００１１】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１２】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１３】
以下に添付図面を参照して、本発明に係るミスト回収装置が適用されたインクジェット印刷装置の実施形態を詳細に説明する。
【００１４】
（インクジェット印刷装置の全体構成）
本発明の一実施例であるインクジェット印刷装置１の構成について詳細に説明する。図１は、本発明の一実施例であるインクジェット印刷装置１の構成を示す構成図である。
【００１５】
図１に示すように、インクジェット印刷装置１は、搬送経路上を搬送される印刷媒体である用紙Ｐに対し画像データに応じたインクを吐出して、用紙上に画像を形成する画像形成装置であって、サイド給紙部１０と、内部給紙部２０と、印刷部３０と、排紙部４０と、反転部５０とを備えている。
【００１６】
サイド給紙部１０は、用紙Ｐが積層される給紙台１１と、この給紙台１１から最上位置の用紙Ｐのみを給紙搬送路ＦＲ上へ搬送させるピックアップ給紙部１２と、このピックアップ給紙部１２によって搬送された用紙Ｐを斜行補正して、所定の搬送タイミングで循環搬送路ＣＲ上へ搬送するレジスト部１４とを備えている。
【００１７】
内部給紙部２０は、用紙Ｐが積層される給紙台２１ａ，２１ｂ，２１ｃ，２１ｄと、この給紙台２１ａ，２１ｂ，２１ｃ，２１ｄから最上位置の用紙Ｐのみを給紙搬送路ＦＲ上へ搬送させるピックアップ給紙部２２ａ，２２ｂ，２２ｃ，２２ｄとを備えている。
【００１８】
レジスト部１４には、サイド給紙部１０及び内部給紙部２０から用紙Ｐが搬送され、さらに、後述する反転部５０からも用紙Ｐが搬送される。そのため、搬送方向におけるレジスト部１４の手前には、給紙された用紙Ｐの搬送経路と、一方の面が印刷された用紙が循環して搬送されてくる搬送経路とが合流する合流地点が存在する。この合流地点を基準に、給紙機構側の経路を給紙搬送路ＦＲと称し、それ以外の搬送経路を循環搬送路ＣＲと称している。レジスト部１４のさらに搬送方向側には、印刷部３０が設けられている。
【００１９】
印刷部３０は、複数の印字ヘッドが組み込まれたインク吐出手段であるインクジェットユニット３１と、インクジェットユニット３１の対向面に設けられ、循環搬送路ＣＲに沿って摺動する環状の搬送ベルト１３３とを備えており、レジスト部１４により給紙された用紙Ｐは、環状の搬送ベルト１３３内に、用紙の搬送路面ＢＰの裏面に対応して設置され、搬送ベルト１３３上面に用紙Ｐを吸着させて搬送する吸引ファン１３１によって搬送ベルト１３３上に吸引され、所定の搬送速度で搬送されながら、インクジェットユニット３１から吐出されたインクにより用紙Ｐに印刷される。
【００２０】
インクジェットユニット３１の搬送方向の下流側であり、かつ搬送ベルト１３３の上方には、帯電した帯電ローラ（帯電部材）３２が設けられている。帯電ローラ３２は、搬送ベルト１３３上を搬送される用紙Ｐに対しインクジェットユニット３１からインクを吐出する際に発生するミストを静電作用により表面に吸着する。詳細は後述する。
【００２１】
印刷部３０により印刷された用紙Ｐは、循環搬送路ＣＲ上に配置された搬送ローラ等によって筐体内において循環搬送路ＣＲ上を搬送される。循環搬送路ＣＲ上には、循環搬送路ＣＲ上を搬送された用紙Ｐを排紙部４０へ誘導するか、又は循環搬送路ＣＲ上を再循環させるかを切り替える切り替え機構４３が備えられている。
【００２２】
搬送手段の１つである切り替え機構４３は、用紙Ｐを、後述する排紙部４０又は反転部５０のいずれか１方へ誘導するために、切り替える。排紙部４０は、インクジェット印刷装置１の筐体から突出したトレイ形状をした排紙台４１と、排紙台４１に用紙Ｐを誘導する一対の排紙ローラ４２とを有している。そして、切り替え機構４３により排紙部４０に誘導された用紙Ｐは、排紙ローラ４２により排紙台４１に搬送され、排紙台４１に印刷面を下にして積載される。
【００２３】
搬送手段の１つである反転部５０は、用紙Ｐを反転させる反転台５１と、循環搬送路ＣＲから反転台５１へ用紙Ｐを搬送し、又は反転台５１から循環搬送路ＣＲ上へ用紙Ｐを搬送する反転ローラ５２とを備えている。
【００２４】
切り替え機構４３により反転部５０に誘導された用紙Ｐは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された用紙Ｐは、循環搬送路ＣＲ上に設けられた搬送ローラ５３等の複数のローラにより循環搬送路ＣＲ上を印刷部３０へ向かって搬送される。
【００２５】
また、インクジェット印刷装置１の全体を制御する制御部８０を有している。この制御部８０は、ＣＰＵやＤＳＰ（Ｄｉｇｉｔａｌ Ｓｉｇｎａｌ Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールである。制御部８０は、プログラムを適宜読み込んで実行することにより種々の機能モジュールを仮想的に構築し、構築された各機能モジュールによって、画像データに関する処理や、各部の動作制御、ユーザ操作に対する種々の処理を行う。具体的に、制御部８０は、サイド給紙部１０と、内部給紙部２０と、印刷部３０と、排紙部４０と、反転部５０とを制御することにより、印刷ジョブに基づいて印刷処理を実行する。
【００２６】
図２は、本発明の一実施例であるインクジェット印刷装置１が備える印刷部３０の拡大側面図である。
【００２７】
図２に示すように、用紙Ｐの搬送方向におけるインクジェットユニット３１の下流側であり、かつ搬送ベルト１３３の上方には、正または負に帯電した帯電ローラ３２が設けられている。
【００２８】
用紙Ｐを搬送ベルト１３３上に吸引しながら所定の搬送速度で搬送する際、用紙Ｐの搬送方向に沿って気流Ｒが発生する。このとき、インク（主滴）の吐出に伴って発生した画像形成に使用しない微小液滴（ミスト）がこの気流Ｒによって下流側に流される。
【００２９】
帯電ローラ３２は、回転軸を中心にＡ方向に回転しながら、気流Ｒに同伴してきたミストを静電作用により表面に吸着する。
【００３０】
帯電ローラ３２の上方には、弾性体で形成された遮蔽部材３３が設けられている。遮蔽部材３３の上部は、壁面３６に固定されている。帯電ローラ３２と遮蔽部材３３とは固定部材３４により所定の間隔を設けてられている。この所定の間隔は遮蔽部材３３が弾性変形した場合でも互いに接触しない程度に短い距離に設定されている。
【００３１】
これにより、気流Ｒは帯電ローラ３２の上方を通過し難く、帯電ローラ３２の下方を通過するような流れとなる。
【００３２】
また、固定部材３４を昇降させる昇降機構３５が壁面３６に固定されている。昇降機構３５は、固定部材３４を上下方向に昇降させることにより、帯電ローラ３２と遮蔽部材３３とを搬送ベルト１３３に対して昇降させる。具体的には、帯電ローラ３２を、搬送ベルト１３３上面で搬送される用紙Ｐに対して上方に所定の間隔を有するミスト吸着位置（破線で示す）と、搬送ベルト１３３上面で搬送される用紙Ｐに帯電ローラ３２を押圧する、即ちギャップがゼロとなるクリーニング位置（実線で示す）との間で、昇降させる。
【００３３】
これにより、帯電ローラ３２のクリーニングの際には、昇降機構３５は、帯電ローラ３２をクリーニング位置まで降下させ、印刷する際には、ミストを回収するため、帯電ローラ３２をミスト回収位置まで上昇させる。ミスト回収位置については後述する。
【００３４】
（インクジェット印刷装置１の機能構成）
図３は、本発明の一実施例であるインクジェット印刷装置１の機能構成を示した図である。
【００３５】
図３に示すように、インクジェット印刷装置１は、制御部８０を有しており、制御部８０は、ＲＯＭ８５と電気的に接続されている。
【００３６】
ＲＯＭ８５は、制御部８０で実行される動作プログラムやギャップ調整テーブルなど各種テーブル等が記憶されている。
【００３７】
図４は、ＲＯＭ８５に記憶されたギャップ調整テーブルの一例を示した図である。
【００３８】
インクジェット印刷装置１では、インク色によって複数の種類のインクが用いられている。インクは種類によってインクの特性（粘度や表面張力など）が異なる。インクジェットユニット３１から吐出されたインク（主滴）は、先端部分が大きく、この先端部分から尾端部へ棒状に細い液柱が形成される。この細い液柱の長さがインク柱長さと呼ばれており、このインク長さが長いほどミストは多く発生しやすくなる。このインク柱長さは、インクの特性によって決まる。
【００３９】
図４に示した図では、最大印字率に基づいて算出された印字率係数と、この印字率係数に対応するギャップが、インクの色ごと（インク柱長さごと）に記憶されている。最大印字率とは、ジョブに含まれる各ページの印字率の中で最も高い印字率のことである。ギャップとは、帯電ローラ３２と搬送ベルト１３３上面との間隔である。
【００４０】
最大印字率が高いほど、インク柱長さが長いほど、単位時間当たりのミストの最大発生量が多くなるので、ミストを効率よく回収するためにギャップが狭くなるように設定されている。
【００４１】
これにより、単位時間当たりのミストの最大発生量が多い場合、効率よくミストを回収することができ、単位時間当たりのミストの最大発生量が少ない場合、用紙への衝突リスクを低減させることができる。
【００４２】
図３に戻り、制御部８０は、その機能上、決定手段８１と、制御手段８２とを有している。
【００４３】
決定手段８１は、外部からジョブを受信し、受信したジョブに含まれる画像データから用紙Ｐに対する最大印字率を算出する。そして、算出した最大印字率と、インクの特性（インク柱長さ）と、ＲＯＭ８５に記憶されたギャップ調整テーブルとに基づいて、帯電ローラ３２と搬送ベルト１３３上面とのギャップを決定する。
【００４４】
制御手段８２は、決定手段８１により決定されたギャップとなるように昇降機構３５を制御する。
【００４５】
このように、単位時間当たりのミストの最大発生量が多い場合、ギャップを狭くすることで効率よくミストを回収することができ、単位時間当たりのミストの最大発生量が少ない場合、ギャップを広くして用紙への衝突リスクを低減させることができる。そのため、ミストの高い回収効率を実現しつつ、用紙接触のリスクを低減することができる。
【００４６】
また、制御手段８２は、帯電ローラ３２をＡ方向に回転させるように、モータ３７を制御する。
【００４７】
図５は、本発明の一実施例であるインクジェット印刷装置１の作用を説明した説明図である。図５（ａ），（ｂ）は、印刷中のミストの発生および吸着を示した説明図であり、図５（ｃ）は、吸着したミストの回収を示した図である。
【００４８】
図５（ａ）に示すように、用紙Ｐを搬送ベルト１３３で搬送しながら印刷する際、用紙Ｐの搬送方向に沿って発生した気流Ｒが発生する。このとき、インク（主滴）の吐出に伴って発生したミストがこの気流Ｒによって下流側に流される。
【００４９】
ここでは、帯電ローラ３２が正の電荷を帯び、インクジェットユニット３１が負の電荷を帯びるように、電源３８が帯電ローラ３２とインクジェットユニット３１とに接続されている。そのため、ミストは負に帯電している。
【００５０】
帯電ローラ３２は、制御手段８２により、決定手段８１により決定されたギャップＧとなるように昇降機構３５を制御されており、ここでは、帯電ローラ３２は、正に帯電している。
【００５１】
そのため、気流Ｒによって下流側に流されたミストは、図５（ｂ）に示すように、回転している帯電ローラ３２の表面に吸着される。
【００５２】
そして、帯電ローラ３２のクリーニング時には、制御手段８２は、搬送ベルト１３３上面で搬送されるクリーニング用紙Ｐに帯電ローラ３２を押圧するように、ギャップがゼロとなるクリーニング位置まで帯電ローラ３２を下降させるよう昇降機構３５を制御する。
【００５３】
このように、制御手段８２は、印刷時には帯電ローラ３２をミスト吸着位置となるように昇降機構３５を制御し、クリーニング時には、帯電ローラ３２をクリーニング位置となるように昇降機構３５を制御する。
【００５４】
これにより、帯電ローラ３２を取り外して清掃するなどの作業を行うことなく、帯電ローラ３２のクリーニングを実行することができる。
【００５５】
なお、ここでは、クリーニングの際、クリーニング用紙を用いたが、普通紙を用いるようにしてもよい。また、印刷中に帯電ローラ３２をクリーニング位置となるように昇降機構３５を制御することにより、印刷された用紙Ｐにミストを転写させるようにしてもよい。この場合には、印刷品質が多少劣化することになるが、印刷と同時並行してクリーニング動作を行うので、効率よくクリーニングを行うことができる。
【００５６】
図６は、本発明の一実施例であるインクジェット印刷装置１の処理内容を示したフローチャートである。
【００５７】
図６に示すように、ユーザ設定によりモードが設定されたか否かを判定する（ステップＳ１０１）。ユーザ設定可能なモードは、「ミスト転写」モード、または「高画質」モードである。「ミスト転写」モードとは、印刷中に帯電ローラ３２をクリーニング位置となるように昇降機構３５を制御することにより、印刷された用紙Ｐにミストを転写させるモードであり、「高画質」モードとは、クリーニング用の用紙Ｐにミストを転写させるモードである。
【００５８】
ユーザ設定により「ミスト転写」モードが設定されている場合（ステップＳ１０１；ミスト転写）、ユーザは、それほど高画質の印刷を望んでいないが、クリーニングをできるだけ効率よく行いたいと考えていると推測できる。
【００５９】
そこで、制御部８０は、ジョブに基づいて印字量が第１印字量閾値を超えているか否かを判定する（ステップＳ１０３）。ここで、第１印字量閾値は、印刷されても目立たない量のミストに対応する印字量として予め設定されている。
【００６０】
印字量が第１印字量閾値を超えている場合（ステップＳ１０３；ＹＥＳ）、帯電ローラ３２には、用紙Ｐに転写すると目立つ程度にミストが付着していることになる。
【００６１】
そこで、制御手段８２は、クリーニング動作を実行する（ステップＳ１０５）。具体的には、制御手段８２は、給紙台２１ａ，２１ｂ，２１ｃ，２１ｄのいずれかから用紙Ｐを給紙させ、帯電ローラ３２の帯電をオフにすると共に昇降機構３５に帯電ローラ３２をクリーニング位置まで降下させる。
【００６２】
これにより、クリーニング用の用紙Ｐを用いて目立つ程度に付着したミストを除去することができる。
【００６３】
そして、制御手段８２は、帯電ローラ３２の帯電をオンにすると共に昇降機構３５に帯電ローラ３２をクリーニング位置まで降下させた状態で（ステップＳ１０７）、印刷処理を実行する（ステップＳ１０９）。これにより、印刷と同時並行してクリーニング動作を行うので、効率よくクリーニングを行うことができる。
【００６４】
一方、ステップＳ１０１において、ユーザ設定により「高画質」モードが設定されている場合（ステップＳ１０１；高画質）、ユーザは効率の良いクリーニングが望んでいないが、できるだけ高画質で印刷したいと考えていると推測できる。
【００６５】
そこで、制御手段８２は、帯電ローラ３２の帯電をオンとし（ステップＳ１１１）、帯電ローラ３２のギャップを調整する（ステップＳ１１３）。具体的には、決定手段８１が、最大印字率と、インクの特性（インク柱長さ）と、ＲＯＭ８５に記憶されたギャップ調整テーブルとに基づいて、帯電ローラ３２と搬送ベルト１３３上面とのギャップを決定し、制御手段８２が、決定手段８１により決定されたギャップとなるように昇降機構３５を制御する。
【００６６】
制御手段８２は、印刷処理を実行する（ステップＳ１０９）。これにより、帯電ローラ３２は搬送ベルト１３３上面に対して適切なギャップを保ちながら、発生するミストを表面に吸着させることができる。
【００６７】
次に、制御部８０は、ジョブに基づいて印字量が第２印字量閾値を超えているか否かを判定する（ステップＳ１１７）。ここで、第２印字量閾値は、帯電ローラ３２の表面に吸着されたミストが堆積して落下しない量に対応する印字量として予め設定されている。
【００６８】
印字量が第２印字量閾値を超えている場合（ステップＳ１１７；ＹＥＳ）、帯電ローラ３２の表面には、これ以上吸着されると落下する程度にミストが堆積していることになる。
【００６９】
そこで、制御手段８２は、クリーニング動作を実行する（ステップＳ１１９）。具体的には、制御手段８２は、給紙台２１ａ，２１ｂ，２１ｃ，２１ｄのいずれかから用紙Ｐを給紙させ、帯電ローラ３２の帯電をオフにすると共に昇降機構３５に帯電ローラ３２をクリーニング位置まで降下させる。
【００７０】
これにより、クリーニング用の用紙Ｐを用いて付着したミストを除去することができる。
【００７１】
そして、再度、処理をステップＳ１１１に移行させ、Ｓ１１１〜Ｓ１１９の処理を繰り返し実行する。
【００７２】
以上のように、本発明の一実施例であるインクジェット印刷装置１によれば、帯電ローラ３２は、搬送ベルト１３３上を搬送される用紙Ｐに対しインクジェットユニット３１からインクを吐出する際に発生するミストを静電作用により表面に吸着し、昇降機構３５は、帯電ローラ３２を搬送ベルト１３３に対して昇降させる。
【００７３】
これにより、ミストの発生量に応じて帯電ローラ３２と搬送ベルト１３３との間隔を調整できるので、ミストの高い回収効率を実現しつつ、用紙接触のリスクを低減することができる。
【００７４】
なお、本発明の一実施例では、帯電ローラ３２を設ける構成としたが、必ずしもロール形状に限らず、多角柱でもよい。すなわち、用紙Ｐの搬送を妨げないような形状を有していればよい。
【００７５】
また、本発明の一実施例では、ミストは負の電荷を帯びており、帯電ローラ３２は、正の電荷を帯びるように制御されたがこれに限らない。ミストが正の電荷を帯びている場合には、帯電ローラ３２は負の電荷を帯びるように制御される。また、ミストは正負いずれの電荷も帯びていない場合には、帯電ローラ３２は正または負のいずれの電荷を帯びるように制御されてもよい。
【００７６】
また、本発明の一実施例では、循環搬送路ＣＲに沿って摺動する環状の搬送ベルト１３３を備えたインクジェット印刷装置１を例にあげて説明したが、用紙Ｐを搬送する搬送手段として、搬送ベルトに限らずどのようなものでも適用することができる。
【００７７】
（付記）
本出願は、以下の発明を開示する。
【００７８】
（付記１）
搬送経路上を搬送される印刷媒体に対しインクジェットヘッドからインクを吐出する際に発生するミストを回収するミスト回収装置であって、
前記搬送経路に沿って前記印刷媒体を搬送する搬送手段と、
前記インクジェットヘッドの下流であり、かつ前記搬送手段の上方に設けられ、帯電した帯電部材と、
前記帯電部材を、前記搬送手段に対して昇降させる昇降機構と、
を備えたことを特徴とするミスト回収装置。
【００７９】
これにより、帯電部材と搬送手段との間隔を調整できるので、ミスト量が多い場合には間隔を狭くしたり、ミスト量が少ない場合には間隔を広くしたりできる。これにより、ミストの高い回収効率を実現しつつ、印刷媒体の接触のリスクを低減することができる。
【００８０】
（付記２）
前記ミストの発生状況に基づいて前記昇降機構を制御する制御手段を、
さらに備えたことを特徴とする（付記１）記載のミスト回収装置。
【００８１】
これにより、ミストの発生量に応じて帯電部材と搬送手段との間隔を調整できるので、より効率よくミストを回収することができる。
【００８２】
（付記３）
前記搬送手段は、前記搬送経路に沿った搬送ベルト上面に前記印刷媒体を吸着させて搬送し、
ジョブごとの最大印字率と、前記インクの特性とに基づいて、前記帯電部材と前記搬送ベルト上面とのギャップを決定する決定手段と、をさらに備え、
前記制御手段は、前記決定手段により決定されたギャップとなるように前記昇降機構を制御する
ことを特徴とする（付記２）記載のミスト回収装置。
【００８３】
これにより、例えば、単位時間当たりのミストの最大発生量が多い場合、ギャップを狭くすることで効率よくミストを回収することができ、単位時間当たりのミストの最大発生量が少ない場合、ギャップを広くして用紙への衝突リスクを低減させることができる。そのため、ミストの高い回収効率を実現しつつ、印刷媒体接触のリスクを低減することができる。
【００８４】
（付記４）
前記制御手段は、前記帯電部材のクリーニング時に、前記搬送ベルト上面で搬送される用紙に前記帯電部材を押圧するように前記昇降機構を制御する
ことを特徴とする（付記３）記載のミスト回収装置。
【００８５】
これにより、帯電部材を取り外して清掃するなどの作業を行うことなく、帯電部材のクリーニングを実行することができる。
【００８６】
（付記５）
前記印刷媒体の搬送により発生する気流が前記帯電部材の上方を通過するのを遮蔽するように、前記帯電部材の上方に設けられた遮蔽部材を、
さらに備えたことを特徴とする（付記１）〜（付記４）いずれか記載のミスト回収装置。
【００８７】
これにより、印刷媒体の搬送により発生する気流は、帯電部材の上方を通過し難く、帯電部材の下方を通過するような流れとなるので、適切にミストを帯電部材に吸着させることができる。
【符号の説明】
【００８８】
１  インクジェット印刷装置
１０  サイド給紙部
１１  給紙台
２０  内部給紙部
３０  印刷部
３１  インクジェットユニット
３２  帯電ローラ（帯電部材）
３３  遮蔽部材
３４  固定部材
３５  昇降機構
３６  壁面
３７  モータ
３８  電源
４０  排紙部
５０  反転部
８０  制御部
８１  決定手段
８２  制御手段
１３１  吸引ファン
１３３  搬送ベルト
【図１】
2020093466.tif 000003
【図２】
2020093466.tif 000004
【図３】
2020093466.tif 000005
【図４】
2020093466.tif 000006
【図５】
2020093466.tif 000007
【図６】
2020093466.tif 000008